(57)【要約】【課題】待機時電力を含み商用電源からの電力を消費する消費電力量を低減して省エネ効果を向上させることができ、且つ安全性及び信頼性の向上を図る。【解決手段】本発明の屋外照明用制御装置４は、電源供給源６と直列に接続される照明負荷２ａをオン又はオフ制御するための制御信号を出力する制御回路１５と、この制御回路１５とは絶縁状態で、前記制御信号を照明負荷２ａに供給して照明負荷２ａの点灯をオン又はオフさせる切換を行うスイッチング部１１とを有している。そして、制御回路１５は、照明負荷２ａをオン又はオフ制御する起動情報を検出する検出部１７により照明負荷オン情報が検出された場合には、抽出した電源供給源６からの電力を充電部１６に充電させ、照明負荷オン情報が検出されない場合には、光電発電部１４からの電力を充電部１６に充電させるように電源回路部１３を制御する。【選択図】図１
2009110875.tif 000002
【特許請求の範囲】
【請求項１】
光により電力を発生する光電発電部と、この光電発電部により発生した電力を蓄電する充電部とを有する光蓄電部と；
照明負荷をオン又はオフ制御するための制御信号を出力する制御部と；
前記照明負荷に直列に接続され、前記制御部とは絶縁状態で、前記制御部からの制御信号により前記照明負荷の供給電力を制御して前記照明負荷の点灯をオン又はオフさせる切換を行うスイッチング部と；
前記照明負荷と前記スイッチング部との間に絶縁状態で接続され、前記照明負荷に供給される前記商用電源からの電力を抽出するとともに、前記光蓄電部による前記充電部への電力の蓄電を制御する電源回路部と；
を具備し、
前記制御部は、前記照明負荷をオン制御する場合には、前記商用電源から抽出した電力を前記充電部に充電させ、前記照明負荷をオフ制御する場合には、前記光電発電部からの電力を前記充電部に充電させるように前記電源回路部を制御することを特徴とする屋外照明用制御装置。
【請求項２】
前記照明負荷近傍の光の照度を検出する照度センサと、前記照明負荷近傍の人の有無を検出する人感センサとを有する検出部を具備し、前記制御部は、前記照度センサと前記人感センサとの少なくとも一方の検出結果に応じて前記照明負荷をオン又はオフ制御する制御信号を出力することを特徴とする請求項１に記載の屋外照明用制御装置。
【請求項３】
前記電源回路部は、前記照明負荷と前記スイッチング部との間に絶縁状態で接続されたカレントトランスによって、前記照明負荷に供給される前記商用電源からの電力を抽出することを特徴とする請求項１又は請求項２に記載の屋外照明用制御装置。
【請求項４】
前記スイッチング部は、前記照明負荷と前記制御部との間に絶縁状態で設けられたフォトトライアックで構成したことを特徴とする請求項１から請求項３のいずれか１項に記載の屋外照明用制御装置。
【請求項５】
前記制御部は、 所定時間を計測するタイマー部と、予め設定された閾値を記憶したメモリ部とを有し、このタイマー部による所定時間の計測結果に基づいて前記スイッチング部による前記照明負荷のオン又はオフ制御を行うと同時に、前記充電部の電力が前記閾値と比較して下回った場合には前記電源回路部による前記充電部への電力の充電制御を行うことを特徴とする請求項１から請求項４のいずれか１項に記載の屋外照明用制御装置。
【請求項６】
前記スイッチング部は、前記商用電源及び前記照明負荷との接続が２本のケーブルで接続されたことを特徴とする請求項１から請求項５のいずれか１項に記載の屋外照明用制御装置。
【発明の詳細な説明】
【技術分野】
【０００１】
本発明は、屋外照明用制御装置に係り、特に、人感センサ等の検出部による検出結果に基づき照明負荷のオン又はオフ制御を行う制御部と、その照明負荷を制御する電力を充電可能な充電部とを有する屋外照明用制御装置に関する。
【背景技術】
【０００２】
一般に、屋外の照明器具は、外部の商用電源からの電力が供給され、例えば照度センサによる検出結果に基づいて照明負荷をオン又はオフするように制御する制御装置を備えたタイプが普及している。
【０００３】
また、最近では、さらに、前記制御装置に人の存在の有無を検出する人感センサを設け、この人感センサによる検出結果に基づいて照明負荷のオン又はオフを制御する人感センサ付きタイプもある。
【０００４】
この種の関連技術としては、例えば、特許文献１に記載された戸外照明自動制御システムがある。
【０００５】
前記特許文献１の発明の戸外照明自動制御システムは、照度センサ及び人感センサと、太陽電池及び充電回路と、照度センサ及び人感センサの検出信号を送信する送信手段とを有するセンサユニットと、商用電源に接続され、前記センサユニットの送信手段により送信された検出信号を受信する受信手段と、前記受信信号に基づいて照明負荷のオン又はオフを制御する制御部とを備えた屋内制御ユニットとを有して構成されている。
【０００６】
この構成により、センサユニットと屋内制御ユニット間の配線の必要がなく、屋内制御ユニットで点灯状態の確認と照明制御モードの切換が可能で、極めて効率の良い省エネルギの戸外照明自動制御システムを実現している。
【特許文献１】特開平５−７４５７５号公報。
【発明の開示】
【発明が解決しようとする課題】
【０００７】
しかしながら、特許文献１に記載の従来技術では、照度センサ及び人感センサなどのセンサユニットと太陽電池及び充電回路等の充電部とが、照明負荷のオン又はオフを制御する制御部等の主要回路部に絶縁状態で無線方式により接続されてはいるものの、前記制御部等を有する主要回路部と照明負荷とが商用電源に電気的に接続されて電力が供給される構成となっているため、大きな電力を必要としない待機時においても、前記主要回路部の待機時電力（消費電力とも称す）を商用電源から消費せざるを得ない。そのため、待機時の電力消費が無駄になってしまうといった問題点があった。
【０００８】
また、照明負荷を点灯制御する必要のない、周囲が十分に明るい場合においても、待機時電力が必要になっているため、待機時の電力消費量（消費電力量）も大きくなってしまい、省エネ効果が低下する一因となってしまう。
【０００９】
また、前記特許文献１の従来技術では、前記制御部等の主要回路部と、強電部である商用電源とがケーブルを介して電気的に接続されているので、お互いに絶縁状態ではなく絶縁がされていないため、安全性及び信頼性を低下させてしまう一因にもなっていた。  そこで、本発明は前記事情に鑑みてなされたものであり、待機時電力を含み商用電源からの電力を消費する消費電力量を低減して省エネ効果を向上させることができ、且つ安全性及び信頼性の向上を図ることができる屋外照明用制御装置を提供することを目的とする。
【課題を解決するための手段】
【００１０】
請求項１の発明の屋外照明用制御装置は、光により電力を発生する光電発電部と、この光電発電部により発生した電力を蓄電する充電部とを有する光蓄電部と；照明負荷をオン又はオフ制御するための制御信号を出力する制御部と；前記照明負荷に直列に接続され、前記制御部とは絶縁状態で、前記制御部からの制御信号により前記照明負荷の供給電力を制御して前記照明負荷の点灯をオン又はオフさせる切換を行うスイッチング部と；前記照明負荷と前記スイッチング部との間に絶縁状態で接続され、前記照明負荷に供給される前記商用電源からの電力を抽出するとともに、前記光蓄電部による前記充電部への電力の蓄電を制御する電源回路部と；を具備し、前記制御部は、前記照明負荷をオン制御する場合には、前記商用電源から抽出した電力を前記充電部に充電させ、前記照明負荷をオフ制御する場合には、前記光電発電部からの電力を前記充電部に充電させるように前記電源回路部を制御することを特徴とする。
【００１１】
前記スイッチング部は、フォトトライアックを用いることによって商用電源の強電回路部側と、前記制御部を有する主要回路部側とを遮断するようにしている。尚、フォトトライアックに限らず、その他の絶縁部材を用いて制御信号の送受及び絶縁を行うように構成しても良い。
【００１２】
請求項２の発明の屋外照明用制御装置は、請求項１に記載の屋外照明用制御装置において、前記照明負荷近傍の光の照度を検出する照度センサと、前記照明負荷近傍の人の有無を検出する人感センサとを有する検出部を具備し、前記制御部は、前記照度センサと前記人感センサとの少なくとも一方の検出結果に応じて前記照明負荷をオン又はオフ制御する制御信号を出力することを特徴とする。
【００１３】
請求項３の発明の屋外照明用制御装置は、請求項１又は請求項２に記載の屋外照明用制御装置において、前記電源回路部は、前記照明負荷と前記スイッチング部との間に絶縁状態で接続されたカレントトランスによって、前記照明負荷に供給される前記商用電源からの電力を抽出することを特徴とする。
【００１４】
請求項４の発明の屋外照明用制御装置は、請求項１から請求項３のいずれか１項に記載の屋外照明用制御装置において、前記スイッチング部は、前記照明負荷と前記制御部との間に絶縁状態で設けられたフォトトライアックで構成したことを特徴とする。
【００１５】
請求項５の発明の屋外照明用制御装置は、請求項１から請求項４のいずれか１項に記載の屋外照明用制御装置において、前記制御部は、 所定時間を計測するタイマー部と、予め設定された閾値を記憶したメモリ部とを有し、このタイマー部による所定時間の計測結果に基づいて前記スイッチング部による前記照明負荷のオン又はオフ制御を行うと同時に、前記充電部の電力が前記閾値と比較して下回った場合には前記電源回路部による前記充電部への電力の充電制御を行うことを特徴とする。
【００１６】
請求項６の発明の屋外照明用制御装置は、請求項１から請求項５のいずれか１項に記載の屋外照明用制御装置において、前記スイッチング部は、前記商用電源及び前記照明負荷との接続が２本のケーブルで接続されたことを特徴とする。
【発明の効果】
【００１７】
請求項１の発明によれば、待機時電力を含み商用電源からの電力を消費する消費電力量を低減して省エネ効果を向上させることができ、且つ安全性及び信頼性の向上を図ることができる屋外照明用制御装置を提供することが可能となる。
【００１８】
請求項２の発明によれば、前記請求項１と同様に効果が得られる他に、充電方法の切換制御及び照明負荷の点灯動作制御を効率良く確実に行うことが可能である。
【００１９】
請求項３の発明によれば、前記請求項１の発明と同様の効果が得られる他に、カレントトランスによって確実に商用電源の電力を抽出して、充電部への充電に用いることが可能となり、また、絶縁状態であるので、待機時電力でも商用電源からの電力を消費しないといった効果も得る。
【００２０】
請求項４の発明によれば、前記請求項１と同様の効果が得られる他に、フォトトライアックを用いてスイッチング部を構成しているので、スイッチング部の回路規模を小さくでき、且つコストも低減できる。
【００２１】
請求項５の発明によれば、前記請求項１と同様の効果が得られる他に、タイマー部を設けたことで、照明負荷の点灯制御を照度センサや人感センサによる検出結果だけでなく、タイマー部による計測時間を用いた点灯制御を行うことができる。また、メモリ部を設けたことにより、より高精度な充電部の充電動作を行うことができる。
【００２２】
請求項６の発明によれば、前記請求項１の発明と同様の効果が得られる他に、スイッチング部を商用電源及び照明負荷に対して直列で接続することができるので、配線が容易になるとともに、強電回路の回路構成を簡素にすることが可能となる。
【発明を実施するための最良の形態】
【００２３】
以下、図面を参照して本発明の実施の形態を説明する。
【００２４】
（一実施の形態）
図１から図４は本発明の屋外照明用制御装置の一実施の形態に係わり、図１は一実施の形態の屋外照明用制御装置を備えた照明システムの全体構成を示す斜視図、図２は図１の屋外照明用制御装置の具体的な回路構成を示すブロック図、図３は屋外照明用制御装置の制御部による制御例を示すフローチャート、図４は屋外照明用制御装置によるバッテリー充電動作を説明するためのタイミングチャートである。
【００２５】
図１に示すように、本実施の形態の屋外照明用制御装置４を有する照明システム１は、照明負荷２ａを有する照明部２と、この照明部２が取り付けられ、屋外に設置されるポール３と、このポール３の所定箇所に取り付けられる屋外照明用制御装置４と、この屋外照明用制御装置４を前記ポール３に固定するための固定部材５と、前記ポール３内の接続ケーブルを介して前記照明部２及び前記屋外照明用制御装置４に電気的に接続され、前記照明部２及び前記屋外照明用制御装置４に電力を供給する商用電源である電源供給源６とを有して構成されている。
【００２６】
ポール３は、例えば前記照明部２からの照明光が歩道５０全体を照射するように配設されている。
【００２７】
また、ポール３内には、図示しない電源供給源６に接続される２本の接続ケーブルが設けられており、これら２本の接続ケーブルの内、一本の接続ケーブルが照明部２の照明負荷２ａを介してもう一本の接続ケーブルとともに、２線の配線接続形態で前記屋外照明用制御装置４に電気的に接続される。
【００２８】
そして、ポール３の上部の所定位置には、本実施の形態の屋外照明用制御装置４が固定部材５によって固定されている。
【００２９】
次に、本実施の形態の屋外照明用制御装置４の構成について、図１及び図２を参照しながら説明する。
【００３０】
図１及び図２に示すように、本実施の形態の屋外照明用制御装置４は、本体部４Ａと、２つの接続端子４ａと、カレントトランス１０と、トライアックリレー１２、抵抗Ｒ、コンデンサＣ、スイッチングトランジスタＴＲ、フォトトライアック入力部１１ｂ及びフォトトライアック出力部１１ａ等を有するスイッチング部１１と、電源回路部１３と、光発電部１４、充電部１６を有する光蓄電部１４Ａと、ＣＰＵで構成される制御回路１５と、充電部１６と、ダイオードＤと、検出部１７と、設定操作部１８とを有して構成されている。
【００３１】
本体部４Ａは、屋外照明用制御装置４の外観を構成する筐体であり、この本体部４Ａには、電源供給源６及び照明負荷２ａからの各接続ケーブルを電気的に接続するための２つの接続端子４ａが設けられている。
【００３２】
一方の接続端子４ａに接続された接続線には、カレントトランス１０が配置されている。このカレントトランス１０は、この接続端子４ａとスイッチング部１１との間の接続線に絶縁状態で接続されている。このカレントトランス１０は、照明負荷２ａに供給される電源供給源６からの電力を抽出して、電源回路部１３に供給する。
【００３３】
また、前記２つの接続端子４ａ間には、スイッチング部１１が設けられている。このスイッチング部１１は、照明負荷２ａに直列に接続され、後述する制御部である制御回路１５とは絶縁状態で、この制御回路１５からの制御信号により前記照明負荷２ａの供給電力を制御して照明負荷２ａの点灯をオン又はオフさせる切換を行う。
【００３４】
このスイッチング部１１は、トライアックリレー１２、抵抗Ｒ、コンデンサＣ、及びフォトトライアックのフォトトライアック出力部１１ａとにより主に構成される電源供給源６側の強電回路部と、フォトトライアックの入力部１１ｂ、スイッチングトランジスタＴＲを含み制御回路１５、光蓄電部１４Ａ、検出部１７及び設定操作部１８により構成される主要回路部とを絶縁状態にしている。
【００３５】
しかしながら、スイッチング部１１は、前記制御回路１５からの制御信号が供給された場合には、この制御信号を前記フォトトライアック入力部１１ｂから光を用いて前記フォトトライアック出力部１１ａに伝送することで、フォトトライアックリレー１２を介して前記照明負荷２ａの供給電力を制御して照明負荷２ａの点灯をオン又はオフさせる切換が可能である。
【００３６】
すなわち、スイッチング部１１にフォトトライアック出力部１１ａ及びフォトトライアック入力部１１ｂで構成されるフォトトライアックを設けたことにより、前記強電回路と前記主要回路部とを絶縁することが可能である。
【００３７】
尚、前記カレントトランス１０についても、接続端子４ａからの接続線とは絶縁状態となっているので、前記強電回路部とは絶縁している。
【００３８】
また、前記抵抗ＲとコンデンサＣとは、フィルタ回路を構成して、照明負荷２ａに流れる電流のノイズ成分を除去するようにしている。
【００３９】
電源回路部１３には、カレントトランス１０により抽出した電力が供給されている。また、この電源回路部１３は、制御回路１５の制御によって光蓄電部１４Ａによる電力の充電を制御する。
【００４０】
具体的には、電源回路部１３に接続される光蓄電部１４Ａは、光により電力を発生する光電発電部１４と、この光電発電部１４により発生した電力を蓄電する充電部１６とを有している。
【００４１】
尚、光発電部１４は、例えば太陽光の光によって電力を発生させるソーラーパネルで構成されたもので、図１に示すように、本体４Ａの上面に設けられている。また、充電部１６は、例えば電力の蓄電が可能なバッテリーで構成されている。
【００４２】
そして、電源回路部１３は、制御回路１５の制御によって、カレントトランス１０により抽出した電源供給源６からの電力、又は光電発電部１４により発生した電力を、充電部１６に充電するように制御する。
【００４３】
制御回路１５は、電源供給電源６と直列に接続される照明負荷２ａをオン又はオフ制御するための制御信号を前記スイッチング部１１に出力する。
【００４４】
この場合、制御回路１５は、検出部１７の検出結果に基づいて、前記制御信号を生成し出力することになる。
【００４５】
検出部１７は、照明負荷２ａをオン又はオフ制御する起動情報を検出するものであって、具体的には、照明負荷２ａ近傍の光の照度を検出する照度センサ１７ｂと、照明負荷２ａ近傍の人の有無を検出する人感センサ１７ａとを有して構成されている。尚、人感センサ１７ａの人感検出範囲は、例えば図１に示すように所定角θとなる。この所定角θは人感センサ１７ａを交換することで自在に変更可能である。
【００４６】
従って、前記照明負荷２ａをオン又はオフ制御する起動情報とは、照度センサ１７ｂと人感センサ１７ａとの少なくとも一方の検出結果であることを意味する。
【００４７】
すなわち、制御回路１５は、照度センサ１７ｂと人感センサ１７ａとの両方の検出結果、又はいずれか一方の検出結果に基づいて照明負荷２ａをオン又はオフさせるための制御信号を生成する。
【００４８】
尚、照明負荷２ａを明るさの変化に応じてオン又はオフさせる場合には照度センサ１７ｂによる検出結果を用いることが望ましく、また、照明負荷２ａを人の存在の有無に応じてオン又はオフさせる場合には人感センサ１７ａによる検出結果を用いることが望ましい。
【００４９】
この制御信号は、前記したように制御回路１５による制御によってスイッチング部１１のフォトトライアック入力部１１ｂに供給された後、光によってスイッチング部１１のフォトトライアック出力部１１ａに伝送される。こうして、照明負荷２ａのオン又はオフが制御されることになる。
【００５０】
また、制御回路１５は、所定時間を計測するタイマー部１５ａと、予め設定された閾値を記憶したメモリ部１５ｂとを有している。
【００５１】
尚、メモリ部１５ｂに記憶している閾値は、例えば充電部１６に蓄積された電力量と比較するための閾値であって、屋外照明用制御装置４が必要最低限の動作可能な電力量として設定されている。勿論、この閾値は、設定操作部１８によって任意に変更可能である。
【００５２】
制御回路１５は、タイマー部１５ａによる所定時間の計測結果に基づいて前記スイッチング部１１による前記照明負荷のオン又はオン制御を行う。
【００５３】
また、制御回路１５は、充電部１６の電力量が前記閾値と比較して下回った場合には、電源回路部１３による前記充電部１６への電力の充電制御を行う。
【００５４】
本実施の形態では、制御回路１５は、検出部１７により前記情報が検出された場合には、照明負荷２ａに供給されて抽出した電源供給源６からの電力を前記充電部１６に充電させる一方、検出部１７により前記情報が検出されない場合には、光電発電部１４からの電力を前記充電部１６に充電させるように電源回路部１６を制御する。
【００５５】
尚、トライアックリレー１２、抵抗Ｒ、コンデンサＣ、スイッチングトランジスタＴＲ、フォトトライアックを構成するフォトトライアック出力部１１ａ及びフォトトライアック入力部１１ｂ等を有するスイッチング部１１は、特許請求の範囲に記載のスイッチング部を構成している。また、カレントトランス１０及び電源回路部１３は前記電源回路部を構成し、光発電部１４、充電部１６を有する光蓄電部１４Ａは前記光電発電部を構成している。さらに、人感センサ１７ａ及び照度センサ１７ｂを有する検出部１７は前記検出部を構成し、制御回路１５は前記制御部を構成している。
【００５６】
尚、制御回路１５に接続される設定操作部１８は、例えばメモリ部１５ｂに記憶された閾値の変更操作、又はタイマー部１５ａの所定時間変更操作や、各種設定変更操作する際等に用いられる操作手段である。例えば、設定操作部１８は、ダイアル式回転操作部材を用いて構成される。
【００５７】
従って、このような構成によれば、スイッチング部１１にフォトトライアックを設けたことにより、抵抗Ｒ、コンデンサＣ、及びフォトトライアックのフォトトライアック出力部１１ａとにより主に構成される電源供給源６側の強電回路部と、フォトトライアック入力部１１ｂ、スイッチングトランジスタＴＲを含み制御回路１５、光蓄電部１４Ａ、検出部１７及び設定操作部１８により構成される主要回路部とを絶縁状態にして遮断することが可能となり、待機時の消費電力を低減させることができるとともに、街路用灯制御装置４の安全性及び信頼性を向上できる。
【００５８】
次に、本実施の形態の屋外照明用制御装置４の動作について図３及び図４を参照しながら説明する。
【００５９】
いま、図１に示すように本実施の形態の屋外照明用制御装置４がポール３に取り付けられた街路灯照明システム１を動作させるものとする。
【００６０】
すると、屋外照明用制御装置４の制御回路１５は、例えば図示しないメモリから図３に示すプログラムを読み出して実行させる。
【００６１】
すなわち、制御回路１５は、ステップＳ１の処理により、充電部１６の電力の充電状態、つまり、充電されている電力量を検出し、処理をステップＳ２に移行する。
【００６２】
そして、制御回路１５は、ステップＳ２の判断処理で、検出した充電部１６の電力量とメモリ部１５ｂに記憶されている閾値と比較を行い、充電部１６の電力量が閾値以下であった場合には処理をステップＳ３に移行し、閾値以上であった場合にはステップＳ４の処理にて充電部１６による充電動作を停止するように電源回路部１３を制御して処理を終了させる。
【００６３】
ステップＳ３では、制御回路１５は、人感センサ１７ａ及び照度センサ１７ｂによる検出結果を取得する。
【００６４】
そして、制御回路１５は、続くステップＳ５の判断処理で、人感センサ１７ａ及び照度センサ１７ｂによる検出結果が、照明負荷２ａがオン状態を示すＨレベルの信号であるか否かを判断する。
【００６５】
例えば、人感センサ１７ａは、人の存在を感知した場合にはオン状態（検出した状態）を示すＨレベルの信号を制御回路１５に出力し、人がいないものと感知した場合にはオフ状態（検出されない状態）を示すＬレベルの信号を出力する。また、照度センサ１７ｂは、照明負荷２ａ近傍の明るさが所定のレベルの明るさ未満である場合にはオン状態（検出した状態）を示すＨレベルの信号を制御回路１５に出力し、所定のレベル以上の明るさである場合にはオフ状態（検出されない状態）を示すＬレベルの信号を出力する。
【００６６】
制御回路１５は、人感センサ１７ａ及び照度センサ１７ｂによる検出結果がオン状態を示すＨレベルの信号であった場合には、ステップＳ６の処理で、カレントトランス１０より抽出した電源供給源６からの電力を充電部１６に充電させるように電源回路部１３を制御する。尚、検出部１７による検出は、照度センサ１７ｂによるものでも良い。
【００６７】
一方、制御回路１５は、人感センサ１７ａ及び照度センサ１７ｂによる検出結果がオフ状態を示すＬレベルの信号であった場合には、ステップＳ７の処理で、光発電部１４により発生した電力を充電部１６に充電させるように電源回路部１３を制御する。
【００６８】
その後、制御回路１５は、処理をステップＳ１に戻し、充電部１６の電力量が閾値以上となるまで、ステップＳ１からステップＳ７までの処理を繰り返し、実行させる。
【００６９】
図４にこのような制御回路１５による制御例のタイミングチャートが示されている。
【００７０】
図４中において、（ａ）を時刻、（ｂ）を明るさ（照度センサ１７ｂによる検出照度）、（ｃ）を充電方法、（ｄ）を充電状態とし、また、前記閾値をＬ、そして、照度センサ１７ｂの所定レベルをＫ１、Ｋ２とすると、朝である時刻ｔ１では、照度センサ１７ｂの明るさは所定レベルＫ１を超え、また、充電部１６の電力量が閾値Ｌより下回っている。
【００７１】
この場合、制御回路部１５は、前記したように、光発電部１４により太陽光の光を用いた電力の発生が可能なものとして、この光発電部１４により発生した電力を充電部１６に充電させるように電源回路部１３を制御する。
【００７２】
尚、この場合の充電は、充電部１６の電力量が閾値Ｌを超えるまで行われるが、閾値Ｌを超えた場合でも図４に示すように充電を継続して行っても良い。この場合、図４に示すように、充電部１６の充電量は、閾値Ｌを超えた所定電力量で一定となる。
【００７３】
そして、昼から夜に変わる時刻ｔ２を経過すると、照度センサ１７ｂの明るさは所定レベルＫ２を下回ることになる。
【００７４】
すると、制御回路部１５は、光発電部１４からの電力に変えて、カレントトランス１０により抽出した電源供給源６からの電力を充電部１６に充電させるように電源回路部１３を制御する。但し、実際に充電部１６に充電されるのは照明負荷２ａがオン制御されたときである。
【００７５】
この場合、制御回路部１５は、例えば時刻ｔ３にて、人感センサ１７ａからオン信号を検出すると、照明負荷２ａをオンさせるための制御信号をスイッチング１１に供給して照明負荷２ａを点灯させる。
【００７６】
この場合の点灯時間（時刻ｔ３〜時刻ｔ４までの点灯時間）は、人感センサ１７ａからオフ信号が検出されるまでの期間である。尚、照明負荷２ａを点灯してからタイマー部１５ａによって所定期間点灯させるように制御しても良い。
【００７７】
時刻ｔ３〜時刻ｔ４までの期間、照明負荷２ａが点灯することで、充電部１６への充電が行われ、時刻ｔ４〜時刻ｔ５の期間は照明負荷２ａが消灯の期間で徐々に充電電力が低下するが、時刻ｔ５に再び照明負荷２ａがオンされ再充電され、時刻ｔ４においては、閾値Ｌ以上の充電電力が得られることになる。
【００７８】
また、同様に、制御回路１５は、例えば時刻ｔ５にて、人感センサ１７ａからオン信号を検出すると、照明負荷２ａを再びオンさせるための制御信号をスイッチング１１に供給して照明負荷２ａを点灯させる。
【００７９】
この場合の点灯時間（時刻ｔ５〜時刻ｔ６までの点灯時間）は、人感センサ１７ａからオフ信号が検出されるまでの期間である。尚、前記同様に照明負荷２ａを点灯してからタイマー部１５ａによって所定期間点灯させるように制御しても良い。
【００８０】
また、時刻ｔ５〜時刻ｔ６までの期間、照明負荷２ａが点灯することで、この期間中においても、前記同様に充電部１６への充電が行われていることで、図示はしないが閾値Ｌ以上の充電電力が得られることになる。
【００８１】
従って、本実施の形態によれば、前記したように光発電部１４により発生した電力を用いた充電部１６の充電と、カレントトランス１０により抽出した電源供給源６からの電力を用いた充電部１６の充電とを適宜行うように構成したことにより、待機時電力を含み商用電源からの電力を消費する消費電力量を低減して省エネ効果を向上させることができる。
【００８２】
また、強電部と制御回路１５を含む主要回路部とを、フォトトライアック等を有するスイッチング部１１によって絶縁した構成によって、安全性及び信頼性の向上を図ることが可能となる。
【００８３】
尚、本実施の形態において、強電部と制御回路１５を含む主要回路部とを絶縁する構成として、フォトトライアックを有するスイッチング１１を用いたが、これに限定されるものではなく、その他の制御信号の送受信が可能な手段を用いて構成しても良い。
【００８４】
また、光発電部１４からの電力を用いた充電部１６への充電と、カレントトランス１０により抽出した電源供給源６からの電力を用いた充電部１６への充電との切換は、主に照度センサ１７ｂによる照度検出結果と人感センサ１７ａの検知結果に基づいて行ったが、これ以外の方法を用いても、本発明に適用される。
【００８５】
本発明は、以上述べた実施の形態のみに限定されるものではなく、発明の要旨を逸脱しない範囲で種々変形実施可能である。
【図面の簡単な説明】
【００８６】
【図１】本発明の一実施の形態の屋外照明用制御装置を備えた街路灯照明システムの全体構成を示す斜視図。
【図２】図１の屋外照明用制御装置の具体的な回路構成を示すブロック図。
【図３】屋外照明用制御装置の制御部による制御例を示すフローチャート。
【図４】屋外照明用制御装置によるバッテリー充電動作を説明するためのタイミングチャート。
【符号の説明】
【００８７】
１…照明システム、
２…照明部、
２ａ…照明負荷、
３…ポール、
４…屋外照明用制御装置、
４Ａ…本体部、
５…固定部、
６…電源供給源（商用電源）、
１０…カレントトランス、
１１…スイッチング部、
１１ａ…フォトトライアック入力部１１ａ、
１１ｂ…フォトトライアック出力部１１ｂ、
１２…トライアックリレー、
１３…電源回路部、
１４Ａ…光蓄電部、
１４…光発電部、
１５…制御回路、
１６…充電部、
１７…検出部、
１７ａ…人感センサ、
１７ｂ…照度センサ、
１８…操作設定部。
【００８８】
代理人    弁理士    伊藤  進
【図１】
2009110875.tif 000003
【図２】
2009110875.tif 000004
【図３】
2009110875.tif 000005
【図４】
2009110875.tif 000006